(57)【要約】      （修正有）【課題】固定具などの別部材を用いることなく、片手の操作によって開閉することのできる口金を提供する。【解決手段】略コの字状の第１枠体２０と第２枠体３０が、それぞれの頂辺部２１、３１に第１固定部２４と第２固定部３４を有し、第１枠体と第２枠体が互いに回動自在となるように、第１枠体の２本の腕部２２、２３と第２枠体の２本の腕部３２、３３とが下端部において２本の軸部材４１、４２によりそれぞれ結合され、第１固定部は、第１磁石を有するとともに、端部に第１枠体の頂辺部の長手方向に係合凸部が設けられ、第２固定部は、第２磁石を有するとともに、端部に第２枠体の頂辺部の長手方向に係合凹部が設けられ、第１枠体と第２枠体は、軸部材のまわりに回動して係合凸部と係合凹部が係合することで閉止され、第１磁石と第２磁石が吸引しあうことで閉止の状態が保持される。【選択図】図１
0003200692.tif 000002
【実用新案登録請求の範囲】
【請求項１】
略コの字状の第１枠体と第２枠体とを備え、
前記第１枠体と前記第２枠体は、それぞれの頂辺部に第１固定部と第２固定部を有するとともに、前記頂辺部の長手方向の両端から延びる２本の腕部をそれぞれ有し、
前記第１枠体と前記第２枠体が互いに回動自在となるように、前記第１枠体の前記２本の腕部と前記第２枠体の前記２本の腕部とが下端部において２本の軸部材によってそれぞれ結合され、
前記第１固定部は、第１磁石を有するとともに、端部において、前記第１枠体の頂辺部の長手方向に突出する係合凸部が設けられ、
前記第２固定部は、第２磁石を有するとともに、端部において、前記第２枠体の頂辺部の長手方向に凹んだ係合凹部が設けられ、
前記第１枠体と前記第２枠体は、前記軸部材のまわりに互いに回動して前記係合凸部と前記係合凹部が互いに係合することによって閉止され、前記第１磁石と前記第２磁石が互いに吸引しあうことによって前記閉止の状態が保持されることを特徴とする口金。
【請求項２】
前記第１固定部は、前記第１枠体の頂辺部において、前記第２固定部側に突出した位置に設けられ、
前記第２固定部は、前記第２枠体の頂辺部において、前記第１固定部側に突出した位置に設けられ、
前記第１枠体と前記第２枠体が閉止されたとき、前記第１固定部と前記第２固定部は、前記前記第１枠体と前記第２枠体の頂辺部の長手方向に沿った直線上に並んだ状態で互いに係合されることを特徴とする請求項１に記載の口金。
【考案の詳細な説明】
【技術分野】
【０００１】
本考案は、鞄、バッグその他の器物の開口部に装着される口金に関する。
【背景技術】
【０００２】
特許文献１に記載の口金は、頂辺部と、頂辺部の両端から下方に延設した側辺部とからなる一対の枠体を備え、この一対の枠体を、側辺部の下端の部分でお互いに係合させるために開閉軸棒を介在させ、枠体を揺動させて開閉可能としている。さらに、この口金においては、一方の枠体の頂辺部に、固定具を滑動させるためのレール部が設けられ、固定部が、閉じられた双方の枠体の頂辺部を跨ぐことによって一対の枠体の閉止状態を維持することが可能となり、かつ、他方の枠体の頂辺部は、固定部による掛止がなされないようにするための切り欠き部が部分的に設けられている。
【０００３】
このような構成によれば、口金の意匠上の自由度を大きくすることができ、財布又はバッグに適用することにより、装飾的な効果に優れた財布又はバッグを容易にデザインすることが可能となる。
【先行技術文献】
【特許文献】
【０００４】
【特許文献１】実開平５−２９４２２号公報
【考案の概要】
【考案が解決しようとする課題】
【０００５】
しかしながら、特許文献１に記載の口金は枠体とは別体の固定具を用いて一対の枠体の閉止状態を維持するようにしているため、固定具がなければ一対の枠体の閉止状態の維持又は解除を行うことができなくなるという問題がある。さらに、閉止状態に移行する場合及び閉止状態を解除する場合のいずれにおいても、一方の手で枠体を抑えつつ他方の手で固定具を操作する必要があることから、一対の枠体を簡便に開閉することができず、使用者に煩わしさを与えるという問題もある。
【０００６】
そこで本考案は、固定具などの別部材を用いることなく、片手の操作によって開閉することのできる口金を提供することを目的とする。
【課題を解決するための手段】
【０００７】
上記課題を解決するために、本考案の口金は、略コの字状の第１枠体と第２枠体とを備え、第１枠体と第２枠体は、それぞれの頂辺部に第１固定部と第２固定部を有するとともに、頂辺部の長手方向の両端から延びる２本の腕部をそれぞれ有し、第１枠体と第２枠体が互いに回動自在となるように、第１枠体の２本の腕部と第２枠体の２本の腕部とが下端部において２本の軸部材によってそれぞれ結合され、第１固定部は、第１磁石を有するとともに、端部において、第１枠体の頂辺部の長手方向に突出する係合凸部が設けられ、第２固定部は、第２磁石を有するとともに、端部において、第２枠体の頂辺部の長手方向に凹んだ係合凹部が設けられ、第１枠体と第２枠体は、軸部材のまわりに互いに回動して係合凸部と係合凹部が互いに係合することによって閉止され、第１磁石と第２磁石が互いに吸引しあうことによって閉止の状態が保持されることを特徴としている。
【０００８】
本考案の口金において、第１固定部は、第１枠体の頂辺部において、第２固定部側に突出した位置に設けられ、第２固定部は、第２枠体の頂辺部において、第１固定部側に突出した位置に設けられ、第１枠体と第２枠体が閉止されたとき、第１固定部と第２固定部は、第１枠体と第２枠体の頂辺部の長手方向に沿った直線上に並んだ状態で互いに係合されることが好ましい。
【考案の効果】
【０００９】
本考案によると、固定具などの別部材を用いることなく、片手の操作によって口金を開閉することができる。
【図面の簡単な説明】
【００１０】
【図１】本考案の実施形態に係る口金の構成を示す斜視図である。
【図２】（Ａ）は、第１枠体の第１固定部とその周辺の構成を拡大して示す斜視図であり、（Ｂ）は第１枠体の全体構成を示す斜視図である。
【図３】（Ａ）は、第２枠体の第２固定部とその周辺の構成を拡大して示す斜視図であり、（Ｂ）は第２枠体の全体構成を示す斜視図である。
【図４】口金を閉止させるために第１枠体と第２枠体を回動させる過程において、第１固定部及び第２固定部とその周辺を拡大して示した平面図である。
【図５】（Ａ）は、第１固定部と第２固定部が互いに係合されて口金が閉止した状態において、第１固定部及び第２固定部とその周辺を拡大して示した平面図、（Ｂ）は（Ａ）の状態のときの斜視図である。
【考案を実施するための形態】
【００１１】
以下、本考案の実施形態に係る口金について図面を参照しつつ詳しく説明する。本考案の口金は、鞄、財布その他の器物の開口部に用いられる。
図１は、本実施形態に係る口金１０の構成を示す斜視図である。図１に示すように、口金１０は、第１枠体２０と第２枠体３０とを備え、軸部材４１、４２を中心として第１枠体２０と第２枠体３０が互いに回動することによって互いに結合され、回動によって両者を互いに閉止させることができる。第１枠体２０と第２枠体３０は例えばアルミニウムやステンレス鋼を成形することによって略コの字状とされる。
【００１２】
図２（Ａ）は、第１枠体２０の第１固定部２４とその周辺の構成を拡大して示す斜視図であり、（Ｂ）は第１枠体２０の全体構成を示す斜視図である。
第１枠体２０は、図１又は図２（Ｂ）に示すように、Ｌ１１−Ｌ１２方向に沿って延びる板状の頂辺部２１と、頂辺部２１が延びる長手方向、すなわちＬ１１−Ｌ１２方向の両端部からＬ１１−Ｌ１２方向に垂直な方向にそれぞれ延びる２本の腕部２２、２３とを備え、これによって略コの字状の全体形状が形成される。また、図１に示すように、第１枠体２０の腕部２２の下端部には結合部２２ａが設けられ、腕部２３の下端には結合部２３ａが設けられている。
【００１３】
図２（Ａ）、（Ｂ）に示すように、頂辺部２１の長手方向中央よりややＬ１１方向側の位置には第１固定部２４が設けられている。第１固定部２４は、頂辺部２１の上面に固定された長板状の取り付け部材２５上において、頂辺部２１の厚み方向、すなわち図２（Ａ）、（Ｂ）に示すＷ１１−Ｗ１２方向のうち、Ｗ１２方向側に突出するように配置されている。ここで、Ｗ１２方向は、第１枠体２０を第２枠体３０へ回動させる回動方向、すなわち図１に示すＲ２方向に対応する。なお、第１固定部２４は、取り付け部材２５を設けずに頂辺部２１に直接設けることもでき、又は、取り付け部材２５と同様の形状の部位を頂辺部２１に一体に形成してこの部位に設けても良い。
【００１４】
第１固定部２４のＬ１２方向の端部には、Ｌ１１方向側に凹むように係合凹部２４ａが設けられている。係合凹部２４ａは、Ｌ１１−Ｌ１２方向からみた平面視で円形状をなしている。
また、第１固定部２４の内部には第１磁石２４ｂが設けられている。第１磁石２４ｂは、Ｌ１１方向側にＮ極が配置され、Ｌ１２方向側にＳ極が配置されている。
【００１５】
図３（Ａ）は、第２枠体３０の第２固定部３４とその周辺の構成を拡大して示す斜視図であり、（Ｂ）は第２枠体３０の全体構成を示す斜視図である。
【００１６】
第２枠体３０は、図１又は図３（Ｂ）に示すように、Ｌ２１−Ｌ２２方向に延びる板状の頂辺部３１と、頂辺部３１が延びる長手方向、すなわちＬ２１−Ｌ２２方向の両端部からＬ２１−Ｌ２２方向に垂直な方向にそれぞれ延びる２本の腕部３２、３３とを備え、これによって略コの字状の全体形状が形成される。また、図１に示すように、第２枠体３０の腕部３２の下端部には結合部３２ａが設けられ、腕部３３の下端には結合部３３ａが設けられている。ここで、Ｌ２１−Ｌ２２方向はＬ１１−Ｌ１２方向に平行な方向である。
【００１７】
図１に示すように、腕部３２の結合部３２ａと腕部２２の結合部２２ａは、これらをＬ１１−Ｌ１２方向に貫通する第１の軸部材４１によって互いに結合され、腕部３３の結合部３３ａと腕部２３の結合部２３ａは、これらをＬ１１−Ｌ１２方向に貫通する第２の軸部材４２によって互いに結合されている。したがって、第１の軸部材４１と第２の軸部材４２は、Ｌ１１−Ｌ１２方向及びＬ２１−Ｌ２２方向に延びるように配置される。このような構成により、第１枠体２０と第２枠体３０は、第１の軸部材４１と第２の軸部材４２の周りを回動可能となり、第１枠体２０は第２枠体３０側へＲ２方向に回動し、第２枠体３０は第１枠体２０側へＲ１方向に回動する。
【００１８】
図３（Ａ）、（Ｂ）に示すように、頂辺部３１の長手方向中央よりややＬ２２方向側の位置には第２固定部３４が設けられている。第２固定部３４は、頂辺部３１の上面に固定された長板状の取り付け部材３５上において、頂辺部３１の厚み方向、すなわち図３（Ａ）、（Ｂ）に示すＷ２１−Ｗ２２方向のうち、Ｗ２１方向側に突出するように配置されている。ここで、Ｗ２１方向は、第２枠体３０を第１枠体２０へ回動させる回動方向、すなわち図１に示すＲ１方向に対応する。なお、第２固定部３４は、取り付け部材３５を設けずに頂辺部３１に直接設けることもでき、又は、取り付け部材３５と同様の形状の部位を頂辺部３１に一体に形成してこの部位に設けても良い。
【００１９】
第２固定部３４のＬ２１方向の端部には、Ｌ２１方向側に突出するように係合凸部３４ａが設けられている。係合凸部３４ａは、第１固定部２４の係合凹部２４ａ内に係合可能な形状、すなわちＬ２１−Ｌ２２方向から見て平面視円形であって、係合凹部２４ａの内径に略同一の直径を有している。
【００２０】
また、第２固定部３４の内部には第２磁石３４ｂが設けられている。第２磁石３４ｂは、Ｌ２１方向側にＮ極が配置され、Ｌ２２方向側にＳ極が配置されている。磁極をこのように配置することによって、第１枠体２０と第２枠体３０を互いに回動させて第１固定部２４と第２固定部３４を係合させて口金１０を閉止させたときに、磁気力によって互いに吸引しあうため、口金１０の閉止状態を保持することができる。
【００２１】
図４は、口金１０を閉止させるために第１枠体２０と第２枠体３０を回動させる過程において、第１固定部２４及び第２固定部３４とその周辺を拡大して示した平面図である。図５（Ａ）は、第１固定部２４と第２固定部３４が互いに係合されて口金１０が閉止した状態において、第１固定部２４及び第２固定部３４とその周辺を拡大して示した平面図、（Ｂ）は（Ａ）の状態のときの斜視図である。
【００２２】
図４及び図５（Ａ）、（Ｂ）に示すように、頂辺部２１における第１固定部２４の位置及び頂辺部３１における第２固定部３４の位置は、第１枠体２０と第２枠体３０を互いに回動させて口金１０を閉止させたときに、取り付け部材２５と取り付け部材３５が対向・接触する対向線Ｌｃ上において、第１固定部２４と第２固定部３４とが互いに係合するような位置である。ここで、対向線Ｌｃは、頂辺部２１の長手方向と頂辺部３１の長手方向の両方に平行な直線である。
【００２３】
図４及び図５（Ａ）、（Ｂ）に示す状態では、第１固定部２４の係合凹部２４ａ内に第２固定部３４の係合凸部３４ａが係合することによって口金１０が閉止され、さらに、第１固定部２４内の第１磁石２４ｂと第２固定部３４内の第２磁石３４ｂが互いに磁気的に吸引しあうことによって閉止状態が保持される。
【００２４】
図５（Ａ）、（Ｂ）に示すような閉止状態において、第１枠体２０と第２枠体３０を互いに開かせる方向に、すなわち、第１枠体２０をＲ１方向に、第２枠体３０をＲ２方向にそれぞれ回動させるように、一定以上の力で第１固定部２４と第２固定部３４を操作すると、係合凹部２４ａと係合凸部３４ａの係合が解除され、口金１０の閉止状態が解かれる。口金１０の閉止状態は、係合凹部２４ａと係合凸部３４ａの係合、及び、第１磁石２４ｂと第２磁石３４ｂとの磁気的吸引があるため、第１固定部２４と第２固定部３４に一定以上の力（閾値以上の力）を加えない限り保持され、第１枠体２０と第２枠体３０をそれぞれ回動させて互いに離間させるように第１固定部２４と第２固定部３４に一定以上の力を加えることによって、解除することができる。
【００２５】
口金１０の閉止状態を解除するために必要な力の値（閾値）は、係合凹部２４ａと係合凸部３４ａの係合形状、例えば、係合凹部２４ａのＬ１１方向の深さ及び係合凸部３４ａのＬ２１方向の突出量や、第１磁石２４ｂ及び第２磁石３４ｂの磁力の強さによって設定することができる。この閾値は、口金１０の用途、仕様等に応じて設定することができるが、鞄や財布の場合は、女性が片手で閉止状態を解除できる程度に設定することが好ましい。
本考案について上記実施形態を参照しつつ説明したが、本考案は上記実施形態に限定されるものではなく、改良の目的または本考案の思想の範囲内において改良または変更が可能である。
【産業上の利用可能性】
【００２６】
以上のように、本考案に係る口金は、固定具などの別部材を用いることなく、片手の操作によって開閉できる点で有用である。
【符号の説明】
【００２７】
１０    口金
２０    第１枠体
２１    頂辺部
２２、２３    腕部
２２ａ、２３ａ  結合部
２４    第１固定部
２４ａ  係合凹部
２４ｂ  第１磁石
２５    取り付け部材
３０    第２枠体
３１    頂辺部
３２、３３    腕部
３２ａ、３３ａ  結合部
３４    第２固定部
３４ａ  係合凸部
３４ｂ  第２磁石
３５    取り付け部材
４１、４２  軸部材
【図１】
0003200692.tif 000003
【図２】
0003200692.tif 000004
【図３】
0003200692.tif 000005
【図４】
0003200692.tif 000006
【図５】
0003200692.tif 000007